【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
収音領域の音を収音する複数のマイクロホンによる収音に基づく収音信号を取得する取得手段と、
前記収音領域内において検出されたオブジェクトの位置に基づいて、前記収音領域内の複数の部分エリアの位置とサイズとを決定する決定手段と、
前記決定手段により決定された複数の部分エリアにそれぞれ対応する複数のエリア音響信号を、前記取得手段により取得された前記収音信号から抽出する抽出手段と、
指定された仮想聴取点の位置及び向きに応じた再生用音響信号を、前記抽出手段により抽出された２以上のエリア音響信号を用いた音響処理により生成する生成手段と、を有することを特徴とする音響処理装置。
【請求項２】
前記決定手段は、前記収音領域に含まれる前記複数の部分エリアの数を前記オブジェクトの位置に基づいて決定することを特徴とする請求項１に記載の音響処理装置。
【請求項３】
前記決定手段は、前記抽出手段及び前記生成手段の少なくともいずれかの処理負荷に基づいて、前記収音領域に含まれる前記複数の部分エリアの数を決定することを特徴とする請求項１に記載の音響処理装置。
【請求項４】
前記取得手段により取得された前記収音信号に基づいて前記収音領域内のオブジェクトの位置を検出する検出手段を有することを特徴とする請求項１乃至３の何れか１項に記載の音響処理装置。
【請求項５】
前記収音領域を撮影することで得られる画像に基づいて前記収音領域内のオブジェクトの位置を検出する検出手段を有することを特徴とする請求項１乃至３の何れか１項に記載の音響処理装置。
【請求項６】
前記決定手段は、前記収音領域内において検出されたオブジェクトの位置を含む部分エリアのサイズが、前記収音領域内において検出されたオブジェクトの位置を含まない部分エリアのサイズよりも小さくなるように、前記複数の部分エリアのサイズを決定することを特徴とする請求項１乃至５の何れか１項に記載の音響処理装置。
【請求項７】
前記決定手段は、前記収音領域内において検出されたオブジェクトを第１の数含む部分エリアのサイズが、前記収音領域において検出されたオブジェクトを前記第１の数より少ない第２の数含む部分エリアのサイズよりも小さくなるように、前記複数の部分エリアのサイズを決定することを特徴とする請求項１乃至６の何れか１項に記載の音響処理装置。
【請求項８】
収音領域の音を収音する複数のマイクロホンによる収音に基づく収音信号を取得する取得手段と、
指定された仮想聴取点の位置と向きとの少なくとも何れかに基づいて、前記収音領域内の複数の部分エリアの位置とサイズとを決定する決定手段と、
前記決定手段により決定された複数の部分エリアにそれぞれ対応する複数のエリア音響信号を、前記取得手段により取得された前記収音信号から抽出する抽出手段と、
前記仮想聴取点の位置及び向きに応じた再生用音響信号を、前記抽出手段により抽出された２以上のエリア音響信号を用いた音響処理により生成する生成手段と、を有することを特徴とする音響処理装置。
【請求項９】
前記決定手段は、前記仮想聴取点の位置を含む部分エリアのサイズが、前記仮想聴取点の位置を含まない部分エリアのサイズよりも小さくなるように、前記複数の部分エリアのサイズを決定することを特徴とする請求項８に記載の音響処理装置。
【請求項１０】
前記決定手段は、前記仮想聴取点が向けられる方向に位置する部分エリアのサイズが、前記仮想聴取点が向けられる方向に位置しない部分エリアのサイズよりも小さくなるように、前記複数の部分エリアのサイズを決定することを特徴とする請求項８に記載の音響処理装置。
【請求項１１】
前記生成手段は、前記仮想聴取点の位置及び向きに基づいて前記２以上のエリア音響信号を合成することで、前記再生用音響信号を生成することを特徴とする請求項１乃至１０の何れか１項に記載の音響処理装置。
【請求項１２】
前記決定手段により決定された前記複数の部分エリアの配置を示す画像を表示部に表示させる表示制御手段を有することを特徴とする請求項１乃至１１の何れか１項に記載の音響処理装置。
【請求項１３】
収音領域の音を収音する複数のマイクロホンによる収音に基づく収音信号を取得する取得工程と、
前記収音領域内において検出されたオブジェクトの位置に基づいて、前記収音領域内の複数の部分エリアの位置とサイズとを決定する決定工程と、
前記決定工程において決定された複数の部分エリアにそれぞれ対応する複数のエリア音響信号を、前記取得工程において取得された前記収音信号から抽出する抽出工程と、
指定された仮想聴取点の位置及び向きに応じた再生用音響信号を、前記抽出工程において抽出された２以上のエリア音響信号を用いた音響処理により生成する生成工程と、を有することを特徴とする音響処理方法。
【請求項１４】
前記決定工程は、前記収音領域内において検出されたオブジェクトの位置を含む部分エリアのサイズが、前記収音領域内において検出されたオブジェクトの位置を含まない部分エリアのサイズよりも小さくなるように、前記複数の部分エリアのサイズを決定することを特徴とする請求項１３に記載の音響処理方法。
【請求項１５】
収音領域の音を収音する複数のマイクロホンによる収音に基づく収音信号を取得する取得工程と、
指定された仮想聴取点の位置と向きとの少なくとも何れかに基づいて、前記収音領域内の複数の部分エリアの位置とサイズとを決定する決定工程と、
前記決定工程において決定された複数の部分エリアにそれぞれ対応する複数のエリア音響信号を、前記取得工程において取得された前記収音信号から抽出する抽出工程と、
前記仮想聴取点の位置及び向きに応じた再生用音響信号を、前記抽出工程において抽出された２以上のエリア音響信号を用いた音響処理により生成する生成工程と、を有することを特徴とする音響処理方法。
【請求項１６】
前記決定工程は、前記仮想聴取点の位置を含む部分エリアのサイズが、前記仮想聴取点の位置を含まない部分エリアのサイズよりも小さくなるように、前記複数の部分エリアのサイズを決定することを特徴とする請求項１５に記載の音響処理方法。
【請求項１７】
コンピュータを、請求項１乃至１２の何れか１項に記載の音響処理装置が有する各手段として機能させるためのコンピュータプログラム。
【手続補正２】
【補正対象書類名】明細書
【補正対象項目名】０００６
【補正方法】変更
【補正の内容】
【０００６】
上記の目的を達成するため、本発明による音響処理装置は以下の構成を備える。即ち、
収音領域の音を収音する複数のマイクロホンによる収音に基づく収音信号を取得する取得手段と、
前記収音領域内において検出されたオブジェクトの位置に基づいて、前記収音領域内の複数の部分エリアの位置とサイズとを決定する決定手段と、
前記決定手段により決定された複数の部分エリアにそれぞれ対応する複数のエリア音響信号を、前記取得手段により取得された前記収音信号から抽出する抽出手段と、
指定された仮想聴取点の位置及び向きに応じた再生用音響信号を、前記抽出手段により抽出された２以上のエリア音響信号を用いた音響処理により生成する生成手段と、を有することを特徴とする。
【手続補正３】
【補正対象書類名】明細書
【補正対象項目名】発明の名称
【補正方法】変更
【補正の内容】
【発明の名称】音響処理装置、音響処理方法及びプログラム
【手続補正４】
【補正対象書類名】明細書
【補正対象項目名】０００１
【補正方法】変更
【補正の内容】
【０００１】
本発明は音響処理装置、音響処理方法及びプログラムに関する。